【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
フィルタメディア管状環と、
環状壁を有する中央管であって、前記環状壁は、内部軸方向流路と、前記環状壁を貫通する流入口と、前記中央管の一端部にある第１の開口と、を画定し、流体が、前記フィルタメディア管状環を通り、前記流入口を通り、前記内部軸方向流路に沿って、半径方向に流れるように適合される、中央管と、
前記中央管と一体的に形成されて前記中央管と一体であり、前記環状壁から半径方向外向きに突出している少なくとも１つのフィンであって、前記少なくとも１つのフィンのそれぞれは、前記少なくとも１つのフィンの外周面が、前記フィルタメディア管状環の内周部を半径方向に支持するように、前記内部軸方向流路を中心とする少なくとも３０度の角度スパンにわたって前記環状壁を覆い、前記環状壁と接触している、少なくとも１つのフィンと、を備える、
流体フィルタ。
【請求項２】
前記少なくとも１つのフィンのそれぞれは、前記中央管の外側に沿って形成され、前記流入口に至る外部流路に沿って、流体の方向を角度的に少なくとも３０度変化させる流れバッフルとして動作する、請求項１に記載の流体フィルタ。
【請求項３】
前記少なくとも１つの流れバッフルは、前記中央管の外側の面に沿って、前記外部流路の為の螺旋状経路を画定している、請求項２に記載の流体フィルタ。
【請求項４】
前記少なくとも１つのフィンは、前記中央管の周りを複数回周回して延びている螺旋形状を備える、請求項１から３のいずれか一項に記載の流体フィルタ。
【請求項５】
前記少なくとも１つのフィンは、互いに離間関係にある少なくとも２つのフィンを含み、前記フィンの外周部同士の間に更なる介在構造物がなく、前記少なくとも２つのフィンは、前記中央管の材料によって、支持され、且つ、間接的につながれている、請求項１から４のいずれか一項に記載の流体フィルタ。
【請求項６】
前記少なくとも２つのフィンは、前記流入口の１つの軸方向側にある第１のフィンと、前記流入口の別の軸方向側にある第２のフィンと、を含む、請求項５に記載の流体フィルタ。
【請求項７】
前記少なくとも２つのフィンのそれぞれの外周面が、前記フィルタメディア管状環の内周部を半径方向に支持する、
請求項５又は６に記載の流体フィルタ。
【請求項８】
前記少なくとも２つのフィンのそれぞれは、前記内部軸方向流路を中心とする少なくとも３０度の角度スパンにわたって前記環状壁を覆い、前記環状壁と接触している、請求項７に記載の流体フィルタ。
【請求項９】
前記中央管は、流量バランサ及びベンチュリのうちの少なくとも一方である流量分割器を備え、前記中央管は、前記中央管の一端部において、前記第１の開口と対向する第２の開口を備え、前記フィルタメディア管状環の周囲に、前記第２の開口を通る流れバイパスが画定されている、請求項１から８のいずれか一項に記載の流体フィルタ。
【請求項１０】
前記中央管及び前記少なくとも１つのフィンは、単体の可塑性成形構造物である、請求項１から９のいずれか一項に記載の流体フィルタ。
【請求項１１】
前記フィルタメディア管状環は、内径を有する第１のフィルタメディア管状環であり、
前記中央管は、第１の中央キャビティを画定している壁と、前記壁内の前記流入口と、第１の開放端部とを有する中央管であり、
前記少なくとも１つのフィンは、前記第１のフィルタメディア管状環を前記内径において半径方向外向きに支持するように構成された外径を有する螺旋状フィンであって、前記螺旋状フィンは前記壁から外向きに延びており、且つ、前記第１のフィルタメディア管状環の前記内径と前記流入口との間に螺旋状流体流路を画定している、螺旋状フィンである、
請求項１から１０のいずれか一項に記載の流体フィルタ。
【請求項１２】
前記中央管は更に閉鎖端部を含む、請求項１１に記載の流体フィルタ。
【請求項１３】
前記螺旋状フィンは、前記第１のフィルタメディア管状環と前記流入口との間に単一の螺旋状流路を形成する、請求項１１又は１２に記載の流体フィルタ。 
【請求項１４】
前記中央管は、流量バランサ及びベンチュリのうちの少なくとも一方である流量分割器を備え、前記中央管は、前記第１の開放端部と対向する、前記中央管の第２の開放端部を備え、前記第１のフィルタメディア管状環の周囲に、前記第２の開放端部を通る流れバイパスが画定されている、請求項１１から１３のいずれか一項に記載の流体フィルタ。
【請求項１５】
前記螺旋状フィンは、前記中央管の周囲に、少なくとも３６０度にわたって延びている、請求項１４に記載の流体フィルタ。
【請求項１６】
前記中央管は、開放底端部を含み、当該流体フィルタは更に、
第２の中央キャビティを画定している第２のフィルタメディアであって、前記第２の中央キャビティは、開放上端部を有し、前記開放上端部は、前記中央管の前記第２の開放端部と流体連通している、第２のフィルタメディアと、
前記第１のフィルタメディア管状環と前記第２のフィルタメディアとの間に位置する封止材と、
前記第１のフィルタメディア管状環と前記第２のフィルタメディアとの間で前記封止材を圧縮するように構成されている、バイアスばねと、を備える、
請求項１４又は１５に記載の流体フィルタ。
【請求項１７】
当該流体フィルタは、スピンオンフィルタであり、
当該流体フィルタは更に、開放端部を画定しているハウジングを備え、前記開放端部は、フィルタ取り付け構造物へのスピンオン取り付け用として構成されている、
請求項１から１６のいずれか一項に記載の流体フィルタ。
【手続補正２】
【補正対象書類名】明細書
【補正対象項目名】０００３
【補正方法】変更
【補正の内容】
【０００３】
フィルタの全体的な濾過効率を高める為によく行われるのは、２つの別々のフィルタエレメントをスピンオンフィルタの共通ハウジングの中に組み込むことである。典型的には、これらのフィルタエレメントのうちの一方は、全流量式フィルタとして知られており、フィルタのハウジングを通過する流体の全て又は殆どを濾過する為に使用される。もう一方のフィルタエレメントは、業界ではバイパスフィルタとして知られており、ハウジングを通過する流体の一部分について、より高い効率で濾過を行う為に使用される。
【手続補正３】
【補正対象書類名】明細書
【補正対象項目名】０００８
【補正方法】変更
【補正の内容】
【０００８】
一態様では、本発明は、フィルタメディア管状環と中央管とを含む流体フィルタを提供する。中央管は環状壁を有し、環状壁は、内部軸方向流路と、環状壁を貫通する流入口と、中央管の一端部にある第１の開口と、を画定している。流体が、フィルタメディア管状環を通り、流入口を通り、内部軸方向流路に沿って、半径方向に流れるように適合される。少なくとも１つのフィンが、中央管と一体的に形成されて中央管と一体であって、環状壁から半径方向外向きに突出している。前記少なくとも１つのフィンのそれぞれは、少なくとも１つのフィンの外周面が、フィルタメディア管状環の内周部を半径方向に支持するように、内部軸方向流路を中心とする少なくとも３０度の角度スパンにわたって環状壁を覆い、これと接触している。
【手続補正４】
【補正対象書類名】明細書
【補正対象項目名】０００９
【補正方法】変更
【補正の内容】
【０００９】
別の態様では、本発明は、流体フィルタを提供し、流体フィルタは、第１のフィルタメディア管状環と中央管とを含み、第１のフィルタメディア管状環は内径を有し、中央管は、第１の中央キャビティを画定している壁と、壁内の流入口と、第１の開放端部と、を有する。また、流体フィルタは、螺旋状フィンを含み、螺旋状フィンは、第１のフィルタメディア管状環をその内径において半径方向外向きに支持するように構成された外径を有する。螺旋状フィンは、壁から外向きに延びており、第１のフィルタメディア管状環の内径と流入口との間に螺旋状流体流路を画定している。
【手続補正５】
【補正対象書類名】明細書
【補正対象項目名】００１０
【補正方法】変更
【補正の内容】
【００１０】
更に別の態様では、本発明は、流体フィルタを提供し、流体フィルタは、フィルタメディア管状環と中央管とを含み、中央管は環状壁を有し、環状壁は、内部軸方向流路と、環状壁を貫通する流入口と、中央管の一端部にある第１の開口と、を画定している。流体が、フィルタメディア管状環を通り、流入口を通り、内部軸方向流路に沿って、半径方向に流れるように適合される。少なくとも２つのフィンが、中央管と一体的に形成されて中央管と一体であって、環状壁から半径方向外向きに突出している。この少なくとも２つのフィンは、互いに離間関係にあり、各フィンの外周部同士の間に更なる介在構造物がなく、この少なくとも２つのフィンは、中央管の材料によって、支持され、且つ、間接的につながれている。この少なくとも２つのフィンのそれぞれの外周面が、フィルタメディア管状環の内周部を半径方向に支持している。
【手続補正６】
【補正対象書類名】明細書
【補正対象項目名】００１９
【補正方法】変更
【補正の内容】
【００１９】
全流量式フィルタ１６では、その内周部５０が、全流量式フィルタ１６の軸方向貫通ボア５２を画定している。全流量式フィルタ１６の貫通ボア５２は、図１及び図２で示されるように、中間封止材２２がバイパスフィルタ１４と全流量式フィルタ１６とで挟まれたときに、中間封止材２２の開口５４によって、バイパスフィルタ１４の貫通ボア４４と密封流体連通接続される。全流量式フィルタ１６は更に、全流量式フィルタ１６の内周部５０と外周部４８との間に配置された全流量式フィルタメディア５６を含んでおり、全流量式フィルタメディア５６は、全流量式フィルタ１６の周囲の環状空間４０から全流量式フィルタ１６の貫通ボア５２へと、全流量式フィルタメディア５６を通って半径方向を内向きに流れる流体から、その所定のサイズの粒子を取り除く場合の定格全流量式フィルタ効率を有している。その所定のサイズの粒子を取り除くことに関しては、バイパスフィルタ効率は全流量式フィルタ効率より高い。
【手続補正７】
【補正対象書類名】明細書
【補正対象項目名】００２０
【補正方法】変更
【補正の内容】
【００２０】
バイパスフィルタ１４及び全流量式フィルタ１６を通る流体の流量間のバランスをとる為に、バイパスフィルタ１４の貫通ボア４４内に、中央管１８が配置されている。図示された実施形態では、中央管１８は、流量バランスエレメントであり、これは、参照によりその全体が本明細書に組み込まれている米国特許公開第２００９／０２６１０２９号明細書において開示されている。別の実施形態では、中央管１８は、ベンチュリ管である。中央管１８は、可塑性材料（例えば、熱可塑性材料）、複合材料、又は金属で形成されてよい。好ましくは、中央管は、（螺旋状フィンとともに）単一の単体可塑性構成部品として成形され、結果として一体的に形成される。
【手続補正８】
【補正対象書類名】明細書
【補正対象項目名】００２１
【補正方法】変更
【補正の内容】
【００２１】
全流量式フィルタ１６は、その下端板５８を、ハウジング１２の閉鎖端部３０に隣接して含んでいる。下端板５８は、全流量式フィルタメディア５６の下端に取り付けられており、全流量式フィルタ１６のほぼ外周部４８から内周部５０にかけて延びている。下端板５８は又、無孔の中央区画６０を含み、中央区画６０は、全流量式フィルタ１６の貫通ボア５２への流体の流入を阻止する。全流量式フィルタ１６は又、上端板６２を含んでおり、上端板６２は、全流量式フィルタメディア５６の上端に、バイパスフィルタ１４と隣接して取り付けられており、全流量式フィルタ１６の外周部４８からほぼ内向きに延びており、全流量式フィルタ１６の貫通ボア５２の出口６４を画定している、中央に位置する環状カラーの形で終端されている。
【手続補正９】
【補正対象書類名】明細書
【補正対象項目名】００２７
【補正方法】変更
【補正の内容】
【００２７】
中央管１８のバイパス流入口８２のまわりに、中央管１８の無孔壁８０の環状区画９０が配置されており、これは、全流量制限器９０を画定している。全流量制限器９０のサイズは、全流量制限器９０が、全流量式フィルタメディア５６を通ってバイパスフィルタ１４の全流量入口６８及び中央管１８の全流量入口８６に流入する流体の配分を、流体のフィルタ装置１０への総流入量のうちの所望の全流量配分に制限するように決定される。別の実施形態では、環状区画９０のサイズは、環状区画９０が、ベンチュリのスロート部として動作して、全流量入口６８から環状区画９０を通る流体の流れに対する応答として、バイパス流入口８２において圧力低下を引き起こすように決定される。
【手続補正１０】
【補正対象書類名】図面
【補正対象項目名】図７
【補正方法】変更
【補正の内容】
【図７】
2014509934.tif 000001